(57)【要約】      （修正有）【課題】脊髄矯正施術に使用するボタン式ダイヤル装置を提供する。【解決手段】閉回路を形成する単一のワイヤと、ワイヤの一部が挿入されて巻取られるかまたは巻戻されるように内部に作動空間が形成されたダイヤル本体と、作動空間で回転可能、上下移動可能で、一方向回転時、ワイヤが外周面に巻取られ、他方向回転時、ワイヤが外周面から巻戻されるように備えられたワイヤプーリと、ワイヤプーリの中央上側に備えられ、ダイヤル本体の作動空間のうち相対的に上側に位置したワイヤプーリを、ダイヤル本体の作動空間のうち相対的に下側にプッシュするプッシュノブと、ダイヤル本体の上側に回転可能に備えられ、ワイヤプーリが相対的に上側に位置した場合、ワイヤプーリと係止され、一方向にワイヤプーリを回転させてワイヤを巻取り、相対的に下側に位置した場合、ワイヤプーリとの係止が解除され、他方向にワイヤプーリが回転可能となるロータリーノブとを含む。【選択図】図１
2020081829.tif 000002
【特許請求の範囲】
【請求項１】
単数個として閉回路を形成する単一のワイヤと、
前記ワイヤの一部が挿入されて巻取られるかまたは巻戻されるように内部に作動空間が形成されたダイヤル本体と、
前記ダイヤル本体の作動空間で回転可能であるとともに、前記ダイヤル本体の作動空間のうち相対的に上側および相対的に下側に上下移動可能に備えられるが、一方向回転時、前記ワイヤが外周面に巻取られ、他方向回転時、前記ワイヤが外周面から巻戻されるように備えられたワイヤプーリと、
前記ワイヤプーリの中央上側に備えられ、前記ダイヤル本体の作動空間のうち相対的に上側に位置した前記ワイヤプーリを、前記ダイヤル本体の作動空間のうち相対的に下側にプッシュするプッシュノブと、
前記ダイヤル本体の上側に回転可能に備えられるが、前記ワイヤプーリが相対的に上側に位置した場合、前記ワイヤプーリと係止され、前記一方向に前記ワイヤプーリを回転させて前記ワイヤを巻取り、相対的に下側に位置した場合、前記ワイヤプーリとの係止が解除され、前記他方向に前記ワイヤプーリが回転可能となるように備えられたロータリーノブとを含む、ボタン式ダイヤル装置。
【請求項２】
前記ダイヤル本体は、矯正患者が着用する腰推バンドおよび胸椎バンドのいずれか１つのバンドに結合され、
前記ダイヤル本体に挿入されない前記ワイヤの残りは、前記閉回路を形成したまま、前記ダイヤル本体と所定距離離隔した前記バンドに固定される、請求項１に記載のボタン式ダイヤル装置。
【請求項３】
前記ダイヤル本体の下部には、前記バンドへの固定のために前記バンドの内側面に備えられたイナープレートと、前記バンドの外側面に備えられたアウタープレートとが結合された、請求項２に記載のボタン式ダイヤル装置。
【請求項４】
前記ダイヤル本体に挿入されない前記ワイヤの残りを、前記ダイヤル本体と所定距離離隔した位置に相当する前記バンドに固定させるための固定パネルをさらに含む、請求項２に記載のボタン式ダイヤル装置。
【請求項５】
前記固定パネルは、前記ダイヤル本体に挿入されない前記ワイヤの残り部分の複数箇所に連結されるように複数個備えられた、請求項４に記載のボタン式ダイヤル装置。
【請求項６】
前記ダイヤル本体には、前記作動空間に備えられるが、前記ワイヤプーリが一方向にのみ回転可能に前記ワイヤプーリと歯係止されるように少なくとも１つの第１の一方向ギヤストッパが形成され、
前記ワイヤプーリの外周面には、前記第１の一方向ギヤストッパと係止可能に備えられた複数の側面係止ギヤ歯が形成された、請求項１に記載のボタン式ダイヤル装置。
【請求項７】
前記第１の一方向ギヤストッパは、前記ダイヤル本体に一体に射出成形されるが、前記複数の側面係止ギヤ歯との干渉時に形状変形するように前記ダイヤル本体と前記第１の一方向ギヤストッパとの間に切開部が形成された、請求項６に記載のボタン式ダイヤル装置。
【請求項８】
前記第１の一方向ギヤストッパは、前記ダイヤル本体に着脱可能に結合されるが、
前記ダイヤル本体に上下回転軸を有するように結合された回動ピンと、
前記回動ピンの上端に固定され、前記複数の側面係止ギヤ歯と噛合するギヤ本体とを含み、
前記ギヤ本体には、前記ギヤ本体の噛合面を前記複数の側面係止ギヤ歯が備えられた方向に弾性支持する支持フラップが前記ダイヤル本体側に延長形成された、請求項６に記載のボタン式ダイヤル装置。
【請求項９】
前記ワイヤプーリの外周面には、
前記ワイヤが巻取られるように内側に向かって陥没されて形成された巻取溝と、前記巻取溝と前記第１の一方向ギヤストッパとの間を仕切るように形成されたワイヤねじり防止部とが形成された、請求項６に記載のボタン式ダイヤル装置。
【請求項１０】
前記ワイヤプーリの上側には、円周方向に沿って形成されるが、前記ロータリーノブの一方向回転時、前記ロータリーノブと干渉されるように配置された複数の上部係止ギヤ歯が形成され、
前記ロータリーノブの下面には、前記ワイヤプーリに備えられた前記複数の上部係止ギヤ歯と噛合する複数の第２の一方向ギヤストッパが形成された、請求項１に記載のボタン式ダイヤル装置。
【請求項１１】
前記プッシュノブは、
前記ダイヤル本体の中心部に配置された弾性部材によって上側に弾性支持され、前記ワイヤプーリの中心部に形成された貫通ホールの内側縁端部の下面を上側に支持する上下移動ブロックと、
前記上下移動ブロックの上側に配置されるが、前記ロータリーノブを上下に貫通するように備えられた複数のプッシュホールを介して外部に突出して複数のプッシュピンが備えられたプッシュブロックと、
前記ロータリーノブの外側に露出した前記複数のプッシュピンの端部に結合されたプッシュパッドとを含む、請求項１に記載のボタン式ダイヤル装置。
【請求項１２】
前記ロータリーノブの外部離脱を防止し、前記上下移動ブロックおよび前記プッシュブロックの上下移動をガイドする離脱防止ねじをさらに含む、請求項１１に記載のボタン式ダイヤル装置。
【発明の詳細な説明】
【技術分野】
【０００１】
本発明は、ボタン式ダイヤル装置に関し、特に、圧迫着用に困難を覚える脊椎側弯症患者が矯正衣類着用後に簡便に圧迫および解除作動させるとともに、矯正衣類着用後、バンドの伸縮調節による矯正部位の全体的な圧迫が容易なボタン式ダイヤル装置に関する。
【背景技術】
【０００２】
脊椎（ｓｐｉｎｅ）とは、人間において首と背中、腰、尻、尾骨部分に至るまでの主要骨格を維持させる骨をいう。
【０００３】
具体的には、脊椎は、７つの首の骨（頚椎）、１２の胸の骨（胸椎）、５つの腰の骨（腰推）、５つの仙骨（仙椎）、４つの尾骨（尾椎）に区分される。
【０００４】
一方、脊椎の中には脳から出た神経束で脊髓（ｓｐｉｎａｌ  ｃｏｒｄ）が存在し、これは、中枢神経系の脳と末梢神経系の末梢器官とを結ぶ役割を果たす。
【０００５】
このように、脊椎は身体の非常に主な部位であって、脊椎疾患を病む場合、生活に多くの困難を与えている。
【０００６】
代表的な脊椎疾患としては、頚椎椎間板ヘルニア、脊椎側弯症、腰痛症候群および椎間板ヘルニアなどがある。
【０００７】
特に、脊椎側弯症（ｓｃｏｌｉｏｓｉｓ）は、代表的な脊椎変形の一つで、人間の脊椎には「歪んでいる状態」または「曲がっている状態」を意味する「湾曲」（ｃｕｒｖｅ）があるが、脊椎の湾曲は、正常人に現れる正常な湾曲と、正常人には見られない異常な湾曲とがある。
【０００８】
このような脊椎側弯症は、全体脊椎側弯症患者の半分程度が１０代の青少年であるほど、成長期に多く発生している。
【０００９】
側弯の程度に応じて異なる処置を取らなければならないが、病症を認知できなかったり単純な観察処置だけを取る場合が多くて悪化するケースが頻繁に発生する。
【００１０】
したがって、脊椎側弯症の治療の目的は、軽度の湾曲がそれ以上進行しないようにし、重症度以上の湾曲は奇形を矯正しその矯正を維持させて身体のバランスを得て機能および美容を好転させることである。
【００１１】
脊椎側弯症を早期に発見した場合、適切な補助器着用などの保存的な方法によってもひどい湾曲への進行を防止することができる。
【００１２】
しかし、従来の補助器具は、脊椎側弯症患者の変形程度に応じて効果的に対応できない問題点があり、特に青少年の場合、成長が続いていてその過程で効果的に脊椎矯正が行われない問題点がある。
【００１３】
さらに、不便な補助器具を用いる患者に補助器具の使用による十分な動機を付与できず、補助器具の使用を簡単に諦めてしまう問題点がある。
【００１４】
このような技術分野の従来技術として、大韓民国登録特許第１０−１０７０９７３号の「脊椎補助器」が開示された。
【００１５】
前記従来技術は、脊椎湾曲などのような脊椎疾患に対して脊椎矯正および回復のために患者が着用する脊椎補助器に関するもので、より詳細には、従来の脊椎補助器に構成された背板の場合、その形状が固定されていて、時間の経過に伴う患者の脊椎状態に効果的に対応できない問題点を解決するために、長さおよび角度調節が可能で内／外被が機能性繊維からなる背板部と、背板部に脱着／付着し簡単な操作で締め可能となるように引き紐固定具が構成された腰バンド部とが構成されるもので、背板の長さ調節および角度調節が可能となるように背板を上部および下部に二分化させた後、それぞれを長さ調節と角度調節が可能な連結部材で連結構成することにより、患者の背中に最適化された長さおよび角度を有するように背板を操作することができる。
【００１６】
しかし、従来技術は、矯正患者が自ら引き紐調整具を用いた調整が極めて難しい構造を有することから、脊椎補助器の使用時、必須として第三者に手助けを求めなければならない問題点がある。
【先行技術文献】
【特許文献】
【００１７】
【特許文献１】大韓民国登録特許第１０−１０７０９７３号（２０１１．０９．２９．公告）
【発明の概要】
【発明が解決しようとする課題】
【００１８】
本発明は、上記の従来技術の問題点を解決するためになされたものであって、脊椎側弯症患者に対する脊椎矯正施術の効果を極大化できるボタン式ダイヤル装置を提供することを目的とする。
【００１９】
また、本発明は、一方向回転動作による矯正患者の身体特定部に対する圧迫およびプッシュ動作を通した圧迫解除が可能となるように備えられ、使用の便宜性が向上したボタン式ダイヤル装置を提供することを目的とする。
【００２０】
本発明の技術的課題は、以上に言及した技術的課題に制限されず、言及されていないさらに他の技術的課題は、以下の記載から当業者に明確に理解されるであろう。
【課題を解決するための手段】
【００２１】
上記の目的を達成するための、本発明の一実施形態に係るボタン式ダイヤル装置は、単数個として閉回路を形成する単一のワイヤと、前記ワイヤの一部が挿入されて巻取られるかまたは巻戻されるように内部に作動空間が形成されたダイヤル本体と、前記ダイヤル本体の作動空間で回転可能であるとともに、前記ダイヤル本体の作動空間のうち相対的に上側および相対的に下側に上下移動可能に備えられるが、一方向回転時、前記ワイヤが外周面に巻取られ、他方向回転時、前記ワイヤが外周面から巻戻されるように備えられたワイヤプーリと、前記ワイヤプーリの中央上側に備えられ、前記ダイヤル本体の作動空間のうち相対的に上側に位置した前記ワイヤプーリを、前記ダイヤル本体の作動空間のうち相対的に下側にプッシュするプッシュノブと、前記ダイヤル本体の上側に回転可能に備えられるが、前記ワイヤプーリが相対的に上側に位置した場合、前記ワイヤプーリと係止され、前記一方向に前記ワイヤプーリを回転させて前記ワイヤを巻取り、相対的に下側に位置した場合、前記ワイヤプーリとの係止が解除され、前記他方向に前記ワイヤプーリが回転可能となるように備えられたロータリーノブとを含む。
【００２２】
ここで、前記ダイヤル本体は、矯正患者が着用する腰推バンドおよび胸椎バンドのいずれか１つ（以下、「バンド」と略称する）に結合され、前記ダイヤル本体に挿入されない前記ワイヤの残りは、前記閉回路を形成したまま、前記ダイヤル本体と所定距離離隔した前記バンドに固定される。
【００２３】
また、前記ダイヤル本体の下部には、前記バンドへの固定のために前記バンドの内側面に備えられたイナープレートと、前記バンドの外側面に備えられたアウタープレートとが結合される。
【００２４】
また、前記ダイヤル本体に挿入されない前記ワイヤの残りを、前記ダイヤル本体と所定距離離隔した位置に相当する前記バンドに固定させるための固定パネルをさらに含んでもよい。
【００２５】
また、前記固定パネルは、前記ダイヤル本体に挿入されない前記ワイヤの残り部分の複数箇所に連結されるように複数個備えられる。
【００２６】
また、前記ダイヤル本体には、前記作動空間に備えられるが、前記ワイヤプーリが一方向にのみ回転可能に前記ワイヤプーリと歯係止されるように少なくとも１つの第１の一方向ギヤストッパが形成され、前記ワイヤプーリの外周面には、前記第１の一方向ギヤストッパと係止可能に備えられた複数の側面係止ギヤ歯が形成される。
【００２７】
また、前記第１の一方向ギヤストッパは、前記ダイヤル本体に一体に射出成形されるが、前記複数の側面係止ギヤ歯との干渉時に形状変形するように前記ダイヤル本体と前記第１の一方向ギヤストッパとの間に切開部が形成される。
【００２８】
また、前記第１の一方向ギヤストッパは、前記ダイヤル本体に着脱可能に結合されるが、前記ダイヤル本体に上下回転軸を有するように結合された回動ピンと、前記回動ピンの上端に固定され、前記複数の側面係止ギヤ歯と噛合するギヤ本体とを含み、前記ギヤ本体には、前記ギヤ本体の噛合面を前記複数の側面係止ギヤ歯が備えられた方向に弾性支持する支持フラップが前記ダイヤル本体側に延長形成される。
【００２９】
また、前記ワイヤプーリの外周面には、前記ワイヤが巻取られるように内側に向かって陥没されて形成された巻取溝と、前記巻取溝と前記第１の一方向ギヤストッパとの間を仕切るように形成されたワイヤねじり防止部とが形成される。
【００３０】
また、前記ワイヤプーリの上側には、円周方向に沿って形成されるが、前記ロータリーノブの一方向回転時、前記ロータリーノブと干渉されるように配置された複数の上部係止ギヤ歯が形成され、前記ロータリーノブの下面には、前記ワイヤプーリに備えられた前記複数の上部係止ギヤ歯と噛合する複数の第２の一方向ギヤストッパが形成される。
【００３１】
また、前記プッシュノブは、前記ダイヤル本体の中心部に配置された弾性部材によって上側に弾性支持され、前記ワイヤプーリの中心部に形成された貫通ホールの内側縁端部の下面を上側に支持する上下移動ブロックと、前記上下移動ブロックの上側に配置されるが、前記ロータリーノブを上下に貫通するように備えられた複数のプッシュホールを介して外部に突出して複数のプッシュピンが備えられたプッシュブロックと、前記ロータリーノブの外側に露出した前記複数のプッシュピンの端部に結合されたプッシュパッドとを含むことができる。
【００３２】
また、前記ロータリーノブの外部離脱を防止し、前記上下移動ブロックおよび前記プッシュブロックの上下移動をガイドする離脱防止ねじをさらに含んでもよい。
【発明の効果】
【００３３】
本発明の一実施形態に係るボタン式ダイヤル装置によれば、上記の課題を解決するための手段により、脊椎側弯症患者に対する脊椎矯正施術の効果を極大化できる効果がある。
【００３４】
また、本発明は、青少年脊椎側弯症患者の脊椎湾曲の進行を効果的に抑制する効果がある。
【００３５】
また、本発明は、簡単なバンド圧迫構造により使用の便宜性を向上させ、矯正患者の自由度を相対的に向上させることができる効果がある。
【００３６】
また、本発明は、Ｙ字状バンディング部とＬ字状バンディング部との組み合わせで発生する非対称圧迫により脊椎湾曲の進行を効果的に抑制する効果がある。
【００３７】
また、本発明は、初期着用が不便な矯正者によって臨時圧着力で結着させた後、後のロータリーノブの回転動作によりバンドを全体的に圧迫して着用できるので、着用性および矯正性を向上させることができる。
【００３８】
本発明の他の効果は、本発明の特徴により理解され、本発明の実施例を通じてより明らかになり、請求の範囲に示された手段および組み合わせにより発揮される。
【図面の簡単な説明】
【００３９】
【図１】本発明に係るボタン式ダイヤル装置の使用例を示す正面図および背面図、
【図２】本発明の一実施形態に係るボタン式ダイヤル装置の一実施例を示す斜視図、
【図３】図２の分解斜視図、
【図４Ａ】図２の断面図であって、プッシュノブのプッシュ作動によるワイヤプーリの上下移動の様子を示す断面図、
【図４Ｂ】図２の断面図であって、プッシュノブのプッシュ作動によるワイヤプーリの上下移動の様子を示す断面図、
【図５】図２の構成における、プッシュノブによって下方移動したワイヤプーリを示す斜視図、
【図６】図２の構成における、第１の一方向ギヤストッパと複数の側面係止ギヤ歯の作動の様子を示す平断面図、
【図７】図２の構成における、ダイヤル本体を示す斜視図、
【図８】図２の構成における、第１の一方向ギヤストッパの変形例を示す部分断面図、
【図９】本発明のボタン式ダイヤル装置の他の実施例を示す斜視図、
【図１０】図９の分解斜視図、である。
【発明を実施するための形態】
【００４０】
以下、本発明の一部の実施例を例示的な図面を通じて詳細に説明する。各図面の構成要素に参照符号を付すにあたり、同一の構成要素については、たとえ他の図面上に表示されてもできるだけ同一の符号を有するようにしていることに留意しなければならない。また、本発明の実施例を説明するにあたり、かかる公知の構成または機能に関する具体的な説明が本発明の実施例に関する理解を妨げると判断された場合には、その詳細な説明は省略する。
【００４１】
本発明の実施例の構成要素を説明するにあたり、第１、第２、Ａ、Ｂ、（ａ）、（ｂ）などの用語を使うことができる。これらの用語は、その構成要素を他の構成要素と区別するためのものに過ぎず、その用語によって当該構成要素の本質や順番または手順などが限定されない。また、別途に定義されない限り、技術的または科学的な用語を含む、ここで使われるすべての用語は、本発明の属する技術分野における通常の知識を有する者によって一般的に理解されるのと同じ意味を有する。一般的に使われる、辞書に定義されているような用語は、関連技術の文脈上有する意味と一致する意味を有すると解釈されなければならず、本出願において明白に定義しない限り、理想的または過度に形式的な意味で解釈されない。
【００４２】
図１は、本発明に係るボタン式ダイヤル装置の使用例を示す正面図および背面図であり、図２は、本発明の一実施形態に係るボタン式ダイヤル装置の一実施例を示す斜視図であり、図３は、図２の分解斜視図であり、図４Ａおよび図４Ｂは、図２の断面図であって、プッシュノブのプッシュ作動によるワイヤプーリの上下移動の様子を示す断面図であり、図５は、図２の構成における、プッシュノブによって下方移動したワイヤプーリを示す斜視図であり、図６は、図２の構成における、第１の一方向ギヤストッパと複数の側面係止ギヤ歯の作動の様子を示す平断面図であり、図７は、図２の構成における、ダイヤル本体を示す斜視図であり、図８は、図２の構成における、第１の一方向ギヤストッパの変形例を示す部分断面図である。
【００４３】
本発明の一実施形態に係るボタン式ダイヤル装置１００は、図１に示されるように、脊椎側弯症の矯正のために矯正患者が着用した衣類部１０または矯正患者が着用した脊椎補助器具１に装着され、ワイヤ９０を巻取るかまたは巻戻す比較的簡単な動作により、衣類部１０の特定部位または脊椎補助器具１の構成のうち腰推バンドまたは胸椎バンド４０の特定部位を、矯正患者の脊椎側弯部位を矯正するためのものである。
【００４４】
より詳細には、矯正患者は、図１に示されるように、上半身に衣類部１０と脊椎補助器具１とを着用する。脊椎補助器具１は、衣類部１０の外側に着用される結合部提供バンド２０と、衣類部１０を着用した矯正患者の骨盤部位に着用される骨盤バンド３０と、衣類部１０の外側に着用されるが、結合部提供バンド２０および骨盤バンド３０に端部が結着され、矯正患者の脊椎湾曲部位を矯正するように非対称圧迫させる腰推バンドおよび胸椎バンド４０（以下、「バンド」と略称し、図面符号「４０」と統合的に指し示す）とを含む。
【００４５】
ここで、本発明に係るボタン式ダイヤル装置の一実施例１００は、脊椎湾曲部位の周辺に相当する衣類部１０の特定部位の複数箇所をワイヤ９０を介して引っ張ったり解くことによって矯正するように備えられることはもちろん、脊椎補助器具１の構成のうち相互交差するバンド４０の交差点に備えられ、バンド４０を引っ張ったり解くことによって矯正機能を行うことができる。以下、本発明に係るボタン式ダイヤル装置の実施例１００、１００Ａがバンド４０に付着したものと前提して説明する。
【００４６】
本発明に係るボタン式ダイヤル装置１００は、図２〜図５に示されるように、単数個として閉回路を形成する単一のワイヤ９０と、ワイヤ９０の一部が挿入されて巻取られるかまたは巻戻されるように作動空間１１１が形成されたダイヤル本体１１０と、前記ダイヤル本体１１０の作動空間１１１で回転可能であるとともに、ダイヤル本体１１０の作動空間１１１のうち相対的に上側および相対的に下側に上下移動可能に備えられるが、一方向回転時、ワイヤ９０が外周面に巻取られ、他方向回転時、ワイヤ９０が外周面から巻戻されるように備えられたワイヤプーリ１５０と、ワイヤプーリ１５０の中央上側に備えられ、ダイヤル本体１１０の作動空間１１１のうち相対的に上側に位置したワイヤプーリ１５０を、ダイヤル本体１１０の作動空間１１１のうち相対的に下側にプッシュするプッシュノブ１７０と、ダイヤル本体１１０の上側に回転可能に備えられるが、ワイヤプーリ１５０が相対的に上側に位置した場合、ワイヤプーリ１５０と係止され、一方向にワイヤプーリ１５０を回転させてワイヤ９０を巻取り、相対的に下側に位置した場合、ワイヤプーリ１５０との係止が解除され、他方向にワイヤプーリ１５０が回転可能となるように備えられたロータリーノブ１３０とを含む。
【００４７】
ここで、ダイヤル本体１１０は、図１に示されるように、「Ｘ」字状に交差したバンド４０の交差点に配置され、ダイヤル本体１１０と離隔しているバンド４０の各部位には、後述する固定パネルが備えられ、ワイヤ９０の巻取力および巻戻力を受けるように構成される。
【００４８】
すなわち、ダイヤル本体１１０は、着用者（または矯正患者、以下、「矯正患者」と略称する）が着用するバンド４０に結合される。これとともに、ダイヤル本体１１０に挿入されないワイヤ９０の残りは、前述のように、閉回路を形成したまま、ダイヤル本体１１０と所定距離離隔したバンド４０に固定される。ここで、単一のワイヤ９０が閉回路を形成する構成は、単一のワイヤによる巻取りおよび巻戻しが可能であることを意味する。
【００４９】
より詳細には、図１に示されるように、バンド４０の交差点にはダイヤル本体１１０が備えられ、ダイヤル本体１１０を基準としてそれぞれ所定距離離隔した位置のバンド４０の４箇所には固定パネル１９０、１９０Ａが連結され、ダイヤル本体１１０と４つの固定パネル１９０、１９０Ａは、閉回路を形成する単一のワイヤ９０によって相互連結される。すなわち、固定パネル１９０、１９０Ａは、ダイヤル本体１１０に挿入されないワイヤ９０の残り部分の複数箇所に連結されるように複数個備えられる。本発明の一実施例１００では、図２に示されるように、固定パネル１９０が単一個備えられたことを例示しているが、後述する他の実施例（図９参照）のように、固定パネルが「Ｘ」字状に交差したバンド４０の４箇所にそれぞれ備えられてもよい（図９の図面符号１９０Ａ参照）。
【００５０】
この状態で、矯正患者がロータリーノブ１３０を一方向に回転させると、ワイヤ９０がワイヤプーリ１５０の外周面に巻取られながら４箇所の固定パネルをダイヤル本体１１０側に引っ張り、同時に当該バンド４０をダイヤル本体１１０の備えられた交差点に引っ張ることによって、矯正患者の脊椎湾曲部位を圧迫することができる。逆に、矯正患者がプッシュノブ１７０を押すと、矯正患者を圧迫していたバンド４０がダイヤル本体１１０を中心に弛緩しながら離隔すると同時に、４箇所の固定パネルがダイヤル本体１１０から離隔しながらロータリーノブ１３０が他方向に回転する動作でワイヤ９０がワイヤプーリ１５０から巻戻される。
【００５１】
ダイヤル本体１１０の内部には、ワイヤプーリ１５０が動作するための作動空間１１１が形成される。ダイヤル本体１１０は、バンド４０の交差点に、本発明に係るボタン式ダイヤル装置の一実施例１００を付着させるとともに、ワイヤプーリ１５０およびロータリーノブ１３０が結合されるための場所を提供する役割を果たす。
【００５２】
このようなダイヤル本体１１０は、図７に示されるように、略平らな円盤状に形成されるが、作動空間１１１の上部が開口した形態に形成される。ダイヤル本体１１０の上端部縁部分には、後述する第１の一方向ギヤストッパ１２０が複数個備えられる。第１の一方向ギヤストッパ１２０については、後により詳細に説明する。
【００５３】
ダイヤル本体１１０の内部に形成された作動空間１１１には、図３〜図４Ｂに示されるように、ワイヤプーリ１５０が備えられる。ワイヤプーリ１５０は、図４Ａおよび図４Ｂに示されるように、中心部が上下に貫通して形成された貫通ホール１５１が備えられる。ワイヤプーリ１５０の貫通ホール１５１には、後述するプッシュノブ１７０が貫設される。
【００５４】
これとともに、ダイヤル本体１１０の作動空間１１１のうち底面には、上部に突出して形成され、後述する弾性部材１８０およびプッシュノブ１７０が外周面に介在するとともに、後述する離脱防止ねじ１８５がロータリーノブ１３０と連結されるように締結されるねじ締結溝１１５が上側に開口して形成された支持ボス１１３が形成される。
【００５５】
また、ダイヤル本体１１０の縁部分には、後述するワイヤプーリ１５０に備えられた複数の側面係止ギヤ歯１６０と一方向係止されるように噛合する少なくとも１つ以上の第１の一方向ギヤストッパ１２０が備えられる。第１の一方向ギヤストッパ１２０は、作動空間１１１を形成するダイヤル本体１１０の内周面側に形成されるが、ギヤ噛合する噛合面の一部が作動空間１１１の内部に突出するように形成される。
【００５６】
第１の一方向ギヤストッパ１２０は、一方向ギヤ歯形状に形成される。ここで、一方向ギヤ歯形状とは、ギヤ歯の噛合面が略円周面に対して一方向および他方向に鈍角を形成する２つの一般のギヤとは異なり、噛合面の１つは円周方向のうち一方向には円周面に対して鋭角を形成するものの、噛合面の他の１つは円周方向のうち他方向には円周面に対して鈍角を形成し、鋭角を形成する噛合面を有する２つのギヤ歯が相互噛合するとともに、鈍角を形成する噛合面を有する２つのギヤ歯が相互噛合するように構成されたものと定義することができる。
【００５７】
これとともに、第１の一方向ギヤストッパ１２０は、後述するワイヤプーリ１５０に備えられた複数の側面係止ギヤ歯１６０と噛合または干渉される時、ワイヤプーリ１５０の一方向への回転が保障される形状に形成されることが好ましい。すなわち、第１の一方向ギヤストッパ１２０は、ダイヤル本体１１０に一体に射出成形されるが、複数の側面係止ギヤ歯１６０との干渉時に形状変形しない場合、機械的に回転しなくなる恐れがあるからである。したがって、ダイヤル本体１１０と第１の一方向ギヤストッパ１２０との間には切開部１２５が形成され、ワイヤプーリ１５０が一方向に回転時、第１の一方向ギヤストッパ１２０が回転方向に押されながら所定の形状変形が発生し、第１の一方向ギヤストッパ１２０の噛合面のうち鈍角を形成する歯面１２１が、複数の側面係止ギヤ歯１６０の噛合面のうち鈍角を形成する歯面１６１に乗り越えながらワイヤプーリ１５０の一方向回転が可能である。
【００５８】
少なくとも１つの第１の一方向ギヤストッパ１２０は、ダイヤル本体１１０の作動空間１１１のうち同じ高さの円周方向に沿って複数個が備えられるので、第１の一方向ギヤストッパ１２０と同じ高さで噛合する複数の側面係止ギヤ歯１６０の高さが変更されない限り、ワイヤプーリ１５０は他方向への回転は制限される。複数の側面係止ギヤ歯１６０の高さは、後述するプッシュノブ１７０のプッシュ作動によってワイヤプーリ１５０が作動空間１１１内で上下移動する動作に変更可能である。これについては、後により詳細に説明する。
【００５９】
一方、第１の一方向ギヤストッパ１２０は、必ずしもダイヤル本体１１０に一体に射出成形されなければならないのではない。すなわち、図８に示されるように、第１の一方向ギヤストッパ１２０は、ダイヤル本体１１０に着脱可能に結合される。
【００６０】
より詳細には、第１の一方向ギヤストッパ２２０は、図８に示されるように、ダイヤル本体１１０に上下回転軸を有するように結合された回動ピン２２１と、回動ピン２２１の上端に固定され、複数の側面係止ギヤ歯１６０と噛合するギヤ本体２２３とを含むことができる。
【００６１】
ギヤ本体２２３には、ギヤ本体２２３の噛合面を複数の側面係止ギヤ歯１６０が備えられた方向に弾性支持する支持フラップ２２５がダイヤル本体１１０側に延長形成される。
【００６２】
したがって、ワイヤプーリ１５０を一方向に回転させると、図８に示されるように、第１の一方向ギヤストッパ２２０の噛合面のうち鈍角に形成された歯面１２１と、ワイヤプーリ１５０の複数の側面係止ギヤ歯１６０の噛合面のうち鈍角に形成された歯面１６１とが相互一方向に噛合しながら第１の一方向ギヤストッパ１２０のギヤ本体２２３が回動ピン２２１を中心に回転し、支持フラップ２２５が弾性支持してギヤ本体２２３が本来の位置に復帰することを繰り返す。
【００６３】
一方、ロータリーノブ１３０は、図３〜図４Ｂに示されるように、ダイヤル本体１１０に形成された作動空間１１１の上部を覆うようにダイヤル本体１１０に結合されるが、固定されている状態のダイヤル本体１１０に対して水平方向に相対回転可能に結合される。
【００６４】
より詳細には、ロータリーノブ１３０は、本発明の一実施形態に係るボタン式ダイヤル装置１００の上部の外観を形成するとともに、一方向に回転しながら、後述するワイヤプーリ１５０を連動して一方向回転させる動作でワイヤ９０を巻取る役割を果たす。
【００６５】
ロータリーノブ１３０の上面中心部には、後述するプッシュノブ１７０の構成のうちプッシュブロック１７８に形成された複数のプッシュピン１７５とプッシュパッド１７７が収容されるためのプッシュ溝１３１が下方に陥没されて形成される。プッシュ溝１３１の底面には、ダイヤル本体１１０の作動空間１１１と連通して備えられ、複数のプッシュピン１７５の先端部位が作動空間１１１から貫通してプッシュ溝１３１の内部空間に露出するように複数のプッシュホール１３３が形成される。複数のプッシュホール１３３は、プッシュ溝１３１の底面の中心を基準として同一の円周上に複数個が形成される。複数のプッシュホール１３３は、複数のプッシュピン１７５の個数に対応して形成される。
【００６６】
一方、ロータリーノブ１３０のプッシュ溝１３１の底面中心部には、後述する離脱防止ねじ１８５が貫通して支持ボス１１３に形成されたねじ締結溝１１５に締結できるようにねじ貫通ホール１３５が形成される。ロータリーノブ１３０は、離脱防止ねじ１８５によってダイヤル本体１１０に対して相対回転可能に結合される。
【００６７】
ロータリーノブ１３０の縁は、図４Ａおよび図４Ｂに示されるように、ダイヤル本体１１０の上端縁および側面部位を覆うように「笠」状に形成される。
【００６８】
これとともに、ロータリーノブ１３０の下面には、後述するワイヤプーリ１５０の上面に形成された複数の上面係止ギヤ歯１６５と噛合するように備えられた複数の第２の一方向ギヤストッパ１４５が形成される。複数の第２の一方向ギヤストッパ１４５も、一方向ギヤ歯形状に形成される。したがって、ロータリーノブ１３０の第２の一方向ギヤストッパ１４５と、ワイヤプーリ１５０の複数の上面係止ギヤ歯１６５の噛合面のうち鋭角に形成された歯面１２３、１６３とが相互噛合った状態で、ロータリーノブ１３０が一方向に回転時、ワイヤプーリ１５０が連動して一方向に回転し、ロータリーノブ１３０の第２の一方向ギヤストッパ１４５と、ワイヤプーリ１５０の複数の上面係止ギヤ歯１６５の噛合面のうち鈍角に形成された歯面（図面符号表記せず）とが相互噛合った状態で、ロータリーノブ１３０が他方向に回転時、ワイヤプーリ１５０とは別途にロータリーノブ１３０だけが他方向に回転できる。
【００６９】
一方、ワイヤプーリ１５０は、図３〜図４Ｂに示されるように、作動空間１１１で貫通ホール１５１を貫通して設けられたプッシュノブ１７０を中心軸として一方向回転または他方向回転可能に備えられる。これとともに、ワイヤプーリ１５０は、図３〜図４Ｂに示されるように、作動空間１１１で上側または下側に上下移動可能に備えられる。ワイヤプーリ１５０の上下移動動作については、後により詳細に説明する。
【００７０】
ワイヤプーリ１５０の外周面には、ダイヤル本体１１０の内部に挿入されたワイヤ９０の一部が巻取られる巻取溝１５３が内側中心に向かって陥没されて形成される。ワイヤプーリ１５０が一方向に回転する時には、ワイヤ９０が巻取溝１５３に巻取られながらバンド４０をダイヤル本体１１０側に移動させて矯正患者の脊椎湾曲部位を圧迫し、矯正患者に作用していた圧迫が解除されると、逆にワイヤ９０の巻戻力として作用してワイヤプーリ１５０が他方向に回転しながらワイヤ９０が巻取溝１５３から巻戻される。
【００７１】
ワイヤプーリ１５０の巻取溝１５３の上側には、前述した第１の一方向ギヤストッパ１２０と同じく、一方向ギヤ歯形状の複数の側面係止ギヤ歯１６０が円周方向に沿って形成される。
【００７２】
より詳細には、ワイヤプーリ１５０の巻取溝１５３の上側に形成された複数の側面係止ギヤ歯１６０は、ワイヤプーリ１５０の一方向回転方向には円周面に対して鈍角を形成することにより第１の一方向ギヤストッパ１２０の噛合面のうち鈍角を形成する歯面１２１と接触し、ワイヤプーリ１５０の他方向回転方向には円周面に対して鋭角を形成することにより第１の一方向ギヤストッパ１２０の噛合面のうち鋭角を形成する歯面１２３と接触して形成される。
【００７３】
したがって、ワイヤプーリ１５０の複数の側面係止ギヤ歯１６０のうち鈍角を形成する部分が、第１の一方向ギヤストッパ１２０の鈍角を形成する歯面１２１と接触する時、第１の一方向ギヤストッパ１２０が形状変形して外側に押されると、ワイヤプーリ１５０は、一方向には回転が可能であるのに対し、ワイヤプーリ１５０の複数の側面係止ギヤ歯１６０のうち鋭角を形成する歯面１６３は第１の一方向ギヤストッパ１２０の鋭角を形成する歯面１２３と接触して他方向回転が防止されることにより、実質的にワイヤプーリ１５０は一方向にのみ回転するように構成される。
【００７４】
ワイヤプーリ１５０の上側には、円周方向に沿って形成されるが、ロータリーノブ１３０の一方向回転時、ロータリーノブ１３０と干渉されるように配置された複数の上面係止ギヤ歯１６５が形成される。ここでの複数の上面係止ギヤ歯１６５も、前述した一方向ギヤ歯形状に形成される。
【００７５】
一方、ワイヤプーリ１５０の外周面には、図示しないが、ワイヤ９０が巻取られるように内側に向かって陥没されて形成された巻取溝１５３と、巻取溝１５３と第１の一方向ギヤストッパ１２０との間を仕切るように形成されたワイヤねじり防止部（図示せず）とが形成される。ワイヤねじり防止部によって巻取溝１５３に巻取られたワイヤ９０が第１の一方向ギヤストッパ１２０側に侵入することが防止され、ワイヤプーリ１５０の回転作動を円滑に回転させる役割を果たす。
【００７６】
ワイヤプーリ１５０の中心部に形成された貫通ホール１５１には、図４Ａおよび図４Ｂに示されるように、プッシュノブ１７０が上下に貫通して設けられる。
【００７７】
プッシュノブ１７０は、図３〜図４Ｂに示されるように、ダイヤル本体１１０の中心部に上側に弾性支持され、ワイヤプーリ１５０の中心部に形成された貫通ホール１５１の内側縁端部の下面を上側に支持する上下移動ブロック１７１と、上下移動ブロック１７１の上側に配置されるが、ロータリーノブ１３０を上下に貫通するように備えられた複数のプッシュホール１３３を介して外部に突出して複数のプッシュピン１７５が備えられたプッシュブロック１７８と、ロータリーノブ１３０の外側に露出した複数のプッシュピン１７５の端部に結合されたプッシュパッド１７７とを含むことができる。
【００７８】
ここで、上下移動ブロック１７１の中心部には、ダイヤル本体１１０に形成された支持ボス１１３が貫通するようにボス貫通部１７２が上下に貫通するように形成され、支持ボス１１３の外周面の案内を受けて上下方向に移動可能に設けられる。
【００７９】
また、上下移動ブロック１７１は、支持ボス１１３の外周面に介在するものの、ダイヤル本体１１０の底面に下端が支持された弾性部材１８０の上端によって上側に弾性支持されるように設けられる。
【００８０】
これとともに、上下移動ブロック１７１の外側縁端部のうち上面は、ワイヤプーリ１５０の貫通ホール１５１のうち内側縁端部の下面を上側に支持するように形成される。
【００８１】
したがって、上下移動ブロック１７１とワイヤプーリ１５０は、ダイヤル本体１１０の作動空間１１１内で弾性部材１８０によって弾性支持されたまま浮かんだ状態を維持する。このように、上下移動ブロック１７１とワイヤプーリ１５０が弾性部材１８０によって作動空間１１１内で浮かんだ状態を、「相対的に上側に上下移動可能」なものと定義し、逆に、上下移動ブロック１７１とワイヤプーリ１５０がプッシュノブ１７０によって弾性部材１８０の弾性力を克服しながら作動空間１１１内で下方に移動した状態を、「相対的に下側に上下移動可能」なものと定義することができる。
【００８２】
一方、プッシュブロック１７８は、図４Ａおよび図４Ｂに示されるように、ダイヤル本体１１０の作動空間１１１内に配置されるが、上下移動ブロック１７１の上端とワイヤプーリ１５０の上端を同時に支持するように備えられた支持プレート１７３と、支持プレート１７３の上面に上側に突出するが、ロータリーノブ１３０のプッシュ溝１３１に形成された複数のプッシュホール１３３を貫通して先端がプッシュ溝１３１の内部空間に露出する複数のプッシュピン１７５とを含むことができる。複数のプッシュピン１７５の先端には、前述したプッシュパッド１７７の下面と結合される。
【００８３】
支持プレート１７３は、円形のリング形状に形成され、下部に位置したダイヤル本体１１０の支持ボス１１３と、上部に位置したロータリーノブ１３０とが離脱防止ねじ１８５によって相互連結されるように中心部が上下に貫通した連結ホール１７４が形成される。
【００８４】
支持プレート１７３は、連結ホール１７４に隣接する下面が上下移動ブロック１７１の上面縁に支持されると同時に、支持プレート１７３の外周端に隣接する下面がワイヤプーリ１５０に形成された貫通ホール１５１に隣接する内側縁上面に支持される。
【００８５】
このような構成からなるプッシュノブ１７０は、図４Ａおよび図４Ｂに示されるように、矯正患者がプッシュパッド１７７をプッシュ作動させると、プッシュブロック１７８が下方に移動するが、複数のプッシュピン１７５が複数のプッシュホール１３３に沿ってそれぞれ案内されながら下方に移動すると同時に、支持プレート１７３が上下移動ブロック１７１とロータリーノブ１３０とを同時に下方に移動させる。
【００８６】
すなわち、プッシュパッド１７７のプッシュ作動によってプッシュブロック１７８が下方に移動すると、図５に示されるように、上下移動ブロック１７１とワイヤプーリ１５０が同時に相対的に下側に上下移動して、ダイヤル本体１１０の第１の一方向ギヤストッパ１２０とワイヤプーリ１５０の複数の側面係止ギヤ歯１６０との噛合が解除されるとともに、ロータリーノブ１３０の第２の一方向ギヤストッパ１４５とワイヤプーリ１５０の複数の上面係止ギヤ歯１６５との噛合が解除される。
【００８７】
以下、前記のように構成された本発明に係るボタン式ダイヤル装置の一実施例１００の作動過程を、添付した図面を参照して説明する。
【００８８】
まず、図４Ａに示されるように、矯正患者のプッシュノブ１７０に対する外力が提供されない状態では、弾性部材１８０の上部弾性支持力によってプッシュノブ１７０の上下移動ブロック１７１およびワイヤプーリ１５０が作動空間１１１内で相対的に上側に上下移動する。この時、ダイヤル本体１１０に備えられた第１の一方向ギヤストッパ１２０とワイヤプーリ１５０の複数の側面係止ギヤ歯１６０とが相互噛合する。これとともに、ロータリーノブ１３０に備えられた第２の一方向ギヤストッパ１４５とワイヤプーリ１５０の複数の上面係止ギヤ歯１６５とが相互噛合する。したがって、矯正患者は、ロータリーノブ１３０を一方向に回転させる動作でワイヤ９０をワイヤプーリ１５０の巻取溝１５３に巻取る動作により矯正患者の脊椎湾曲部位を圧迫させることができる。
【００８９】
次に、図４Ｂに示されるように、矯正患者がプッシュノブ１７０のうちプッシュパッド１７７をプッシュ作動させると、矯正患者のプッシュ力は順次にプッシュブロック１７８と上下移動ブロック１７１およびワイヤプーリ１５０に伝達され、ワイヤプーリ１５０が相対的に下側に上下移動する。この時、ダイヤル本体１１０に備えられた第１の一方向ギヤストッパ１２０とワイヤプーリ１５０の複数の側面係止ギヤ歯１６０との噛合が解除される。また、ロータリーノブ１３０に備えられた第２の一方向ギヤストッパ１４５とワイヤプーリ１５０の複数の上面係止ギヤ歯１６５との噛合が解除される。したがって、矯正患者に対する圧迫力が解除されながらワイヤプーリ１５０が他方向に回転して、巻取溝１５３に巻取られているワイヤ９０が自動的に巻戻される。
【００９０】
図９は、本発明のボタン式ダイヤル装置の他の実施例を示す斜視図であり、図１０は、図９の分解斜視図である。
【００９１】
本発明に係るボタン式ダイヤル装置の他の実施例は、図９および図１０に示されるように、ダイヤル本体１１０から所定距離離隔し、ダイヤル本体１１０の内部に挿入されないワイヤ９０の一部に連結され、衣類部１０またはバンド４０に固定される少なくとも１つ以上の固定パネル１９０Ａを含むことができる。
【００９２】
固定パネル１９０Ａは、図９に示されるように、それぞれバンド４０の内側面に配置されるイナー固定部１９１と、バンド４０の外側面に配置されるアウター固定部１９３とを含み、バンド４０は、イナー固定部１９１およびアウター固定部１９３の間に位置して裁縫方式で相互連結される。しかし、固定パネルのバンド４０に対する連結方式が裁縫方式に限定されるものではなく、ワイヤ９０を介して矯正患者に圧迫力を容易に供給できる程度の結合方式であれば、いかなる結合方式の採用も可能であることは当然というべきである。
【００９３】
一方、本発明に係るボタン式ダイヤル装置の他の実施例において、ダイヤル本体１１０は、図９および図１０に示されるように、下部に結合されるが、バンド４０への固定のためにバンド４０の内側面に備えられたイナープレート１１９と、バンド４０の外側面に備えられたアウタープレート１１８とをさらに含んでもよい。
【００９４】
イナープレート１１９とアウタープレート１１８は、前述した固定パネル１９０Ａと同じく、バンド４０に多様な結合方式で結合されることにより、ダイヤル本体１１０をバンド４０に固定させる役割を果たす。
【００９５】
本発明に係るボタン式ダイヤル装置の他の実施例は、上述した一実施例１００と同じく、ダイヤル本体１１０と、ワイヤプーリ１５０と、ロータリーノブ１３０と、プッシュノブ１７０とを含んでおり、前記各構成はその機能および構造が大同小異であるので、詳細な説明は一実施例１００の説明に代えることとする。
【００９６】
以上の説明は、本発明の技術思想を例示的に説明したに過ぎないものであって、本発明の属する技術分野における通常の知識を有する者であれば、本発明の本質的な特性を逸脱しない範囲で多様な修正および変形が可能である。
【００９７】
したがって、本発明に開示された実施例は、本発明の技術思想を限定するためのものではなく説明するためのものであり、このような実施例によって本発明の技術思想の範囲が限定されるものではない。本発明の保護範囲は以下の請求の範囲によって解釈されなければならず、それと同等な範囲内にあるすべての技術思想は本発明の権利範囲に含まれると解釈されなければならない。
【符号の説明】
【００９８】
１：脊椎補助器具
１０：衣類部
４０：バンド
９０：ワイヤ
１００、１００Ａ：ボタン式ダイヤル装置
１１０：ダイヤル本体
１１１：作動空間
１１３：支持ボス
１１５：ねじ締結溝
１２０：第１の一方向ギヤストッパ
１２５：切開部
１３０：ロータリーノブ
１３１：プッシュ溝
１４５：第２の一方向ギヤストッパ
１５０：ワイヤプーリ
１５１：貫通ホール
１５３：巻取溝
１６０：複数の側面係止ギヤ歯
１６５：複数の上面係止ギヤ歯
１７０：プッシュノブ
１７１：上下移動ブロック
１７７：プッシュパッド
１７８：プッシュブロック
１８０：弾性部材
１８５：離脱防止ねじ
１９０、１９０Ａ：固定パネル
２２０：第１の一方向ギヤストッパ
２２１：回動ピン
２２３：ギヤ本体
２２５：支持フラップ
【図１】
2020081829.tif 000003
【図２】
2020081829.tif 000004
【図３】
2020081829.tif 000005
【図４Ａ】
2020081829.tif 000006
【図４Ｂ】
2020081829.tif 000007
【図５】
2020081829.tif 000008
【図６】
2020081829.tif 000009
【図７】
2020081829.tif 000010
【図８】
2020081829.tif 000011
【図９】
2020081829.tif 000012
【図１０】
2020081829.tif 000013